(57)【要約】【課題】回線に障害が発生したことを検出すると、通信が可能な装置または局を経由するよう通信回線を変更する無線通信システムを提供する。【解決手段】少なくとも指令部と、基地局と、移動局を具備する無線通信システムであって、該無線通信システムは、基地局を遠隔より制御するための遠隔制御装置を具備し、該遠隔制御装置と前記指令部と前記基地局の各々の相互間で回線に障害が発生したことを検出すると、通信が可能な装置または局を経由するよう通信回線を変更することを特徴とした無線通信システム。【選択図】  図１
2007235712.tif 000002
【特許請求の範囲】
【請求項１】
少なくとも指令部と、基地局と、移動局を具備する無線通信システムであって、
該無線通信システムは、基地局を遠隔より制御するための遠隔制御装置を具備し、
該遠隔制御装置と前記指令部と前記基地局の各々の相互間で回線に障害が発生したことを検出すると、
通信が可能な装置または局を経由するよう通信回線を変更することを特徴とした無線通信システム。
【請求項２】
請求項１に記載の無線通信システムであって、
前記遠隔制御装置は、信号を入出力する信号入出力部を有し、
該信号入出力部により回線に障害が発生したことを検出すると、
所定の装置へ回線障害情報を送信すると共に前記遠隔制御装置を経由して通信を行うことを特徴とした無線通信システム。
【請求項３】
基地局を遠隔より制御するための遠隔制御装置であって、
該遠隔制御装置は、少なくとも基地局および指令部と通信が可能となる通信回線と、
前記指令部および基地局との通信信号を入出力する信号入出力部を有し、
前記指令部および基地局からの信号を中継する中継機能とを有し、
前記信号入出力部により回線の異常が検出されると前記中継機能を用いて所定の装置と通信することを特徴とした遠隔制御装置。
【発明の詳細な説明】
【技術分野】
【０００１】
本発明は、無線通信システムに関し、特にデジタル移動通信システムの管理を行う無線通信システムに関するものである。
【背景技術】
【０００２】
従来、指令台のような上位装置、基地局および無線端末装置から構成される無線通信システムとして、例えば消防無線や市町村防災無線といった防災無線システムがある。
このような無線システムでは通常、上位装置である指令装置、基地局装置、遠隔制御装置といった各装置が設けられており、これらの装置は有線回線で相互に接続されており、前記基地局装置と複数ある無線端末装置間は無線回線で接続されている。
上記のような無線通信システムとして例えば特許文献１がある。
【０００３】
【特許文献１】特開２００４−１５１１９号公報
【発明の開示】
【発明が解決しようとする課題】
【０００４】
上記従来の無線通信システムでは、各上位装置が有線回線で接続されているため、有線回線に断線する等の障害が発生した場合、障害が発生した回線を経由する無線端末装置と前記指令装置間の通信が切断されてしまうため、障害が発生した回線を経由しない伝送経路を確保する無線通信システムの実現が望まれている。
【０００５】
本発明の目的は、回線に障害が発生したことを検出すると、通信が可能な装置または局を経由するよう通信回線を変更する無線通信システムを提供することである。
【０００６】
本発明の他の目的は、有線回線の回線状況を把握し、回線に障害が検出されると予め設定されている装置へ回線障害情報を送信する遠隔制御装置を具備した無線通信システムを提供することである。
【課題を解決するための手段】
【０００７】
上記目的を達成するため、請求項１に記載の無線通信システムは、少なくとも指令部と、基地局と、移動局を具備する無線通信システムであって、該無線通信システムは、基地局を遠隔より制御するための遠隔制御装置を具備し、該遠隔制御装置と前記指令部と前記基地局の各々の相互間で回線に障害が発生したことを検出すると、通信が可能な装置または局を経由するよう通信回線を変更することを特徴とする。
【０００８】
また、上記目的を達成するため、請求項２に記載の無線通信システムは、請求項１に記載の無線通信システムであって、前記遠隔制御装置は、信号を入出力する信号入出力部を有し、該信号入出力部により回線に障害が発生したことを検出すると、所定の装置へ回線障害情報を送信すると共に前記遠隔制御装置を経由して通信を行うことを特徴とする。
【０００９】
また、上記目的を達成するため、請求項３に記載の遠隔制御装置は、基地局を遠隔より制御するための遠隔制御装置であって、該遠隔制御装置は、少なくとも基地局および指令部と通信が可能となる通信回線と、前記指令部および基地局との通信信号を入出力する信号入出力部を有し、前記指令部および基地局からの信号を中継する中継機能とを有し、前記信号入出力部により回線の異常が検出されると前記中継機能を用いて所定の装置と通信することを特徴とする。
【発明の効果】
【００１０】
本発明によれば、回線に障害が発生したことを検出すると、通信が可能な装置、または局を経由するように使用する通信回線を変更する無線通信システムを提供する事ができる。
更に回線に障害が発生したことを所定の装置に通知することで回線の状態を管理する無線通信システムを提供する事ができる。
【発明を実施するための最良の形態】
【００１１】
本発明に係る実施例について図を用いて説明する。
図１は、本発明の一実施例を示した無線通信システムの構成図であり、図２は、本発明において指令装置が移動局を呼び出す際の動作を示したシーケンス図、図３は、本発明において有線回線が断線した際の通信動作を示したシーケンス図、図４は本発明における遠隔制御装置の概略構成の一例を示したブロック図である。
図１に示す無線通信システムでは説明の簡便化のため、遠隔制御装置と基地局は１つ設置したものとして記載しているが、当然１つに限定されるものではなく、複数存在しても良い。また、指令装置、基地局、遠隔制御装置といった各装置間に回線制御装置等の種々の装置を介しても良いことは言うまでも無く、さらに無線通信時に使用する任意の周波数をｆ１、ｆ２の複数の周波数を利用して通信を行うとして説明を行っているが、例えばＳＣＰＣ（Single Channel Per Carrier）のような１波でも良いことは言うまでも無い。さらに図４に示す遠隔制御装置の構成についても適宜変更しても良いことは言うまでも無い。
【００１２】
図１において、１０１は各装置に指令を行う指令装置、１０２は基地局、１０３は遠隔制御装置、１０４−１、１０４−２は移動局、１０５−１、１０５−２，１０５−３はそれぞれ各装置間を繋いでいる有線回線を示している。ここで、移動局および有線回線を総称する場合にはそれぞれ移動局１０４、有線回線１０５として説明をする。また、図４において、４０１は信号入出力部、４０２は制御部、４０３は表示部、４０４は操作部を示している。
【００１３】
指令装置１０１は通信システムの統括を行っており、移動局１０４や遠隔制御装置１０３と通信連絡を行う事が可能となっている。例えば、移動局１０４−１を呼出し、通信を行う場合について図２を用いて説明をする。
まず、指令装置１０１より移動局１０４−１に対して呼出信号を送信する。その際、指令装置１０１より有線回線１０５−１、基地局１０２を介して（ステップ２０１）無線通信により任意の周波数ｆ１を用いて移動局１０４−１を呼び出すこととなる（ステップ２０２）。基地局１０２より通信連絡を受信した移動局１０４−１は、指令装置１０１に対して返信を行う。この返信時には、移動局１０４−１より任意の周波数ｆ２を用いて基地局１０２へ無線通信を行い（ステップ２０３）、基地局１０２を介して指令装置１０１へ送信される（ステップ２０４）。また、このような呼出通信には各移動局装置、遠隔制御装置を個々に呼び出し通信を行う個別通信と、対象となる装置を呼び出すグループ通信、全ての装置を呼び出す一斉通報等がある。この他、移動局１０４−１、１０４−２が直接通信を行う、移動局直接通信も実施できる。
【００１４】
遠隔制御装置１０３は、通常基地局１０２を遠隔制御するために設置されている装置であり、指令装置１０１または基地局１０２より送信された信号を信号入出力部４０１にて受信し、受信した内容を表示部４０３へと表示することで、遠隔制御装置１０３を操作する操作者が各種状態を把握する事ができるように構成されている。
【００１５】
ここで、例えば有線回線１０５−１に障害が発生した場合の移動局１０４−１の呼び出しについて図３を用いて説明する。
指令装置１０１、基地局１０２間の有線回線１０５−１に障害が発生すると、指令装置１０１および基地局１０２において障害が検出され（ステップ３０１、３０２）、有線回線１０５−１に障害が発生したことを遠隔制御装置１０３に通知する。この時、指令装置１０１より遠隔制御装置１０３に対し、中継機能の起動要求信号を送信する（ステップ３０３、３０４）。遠隔制御装置１０３では、この起動要求信号を信号入出力部４０１で受信すると、指令装置１０１から移動局１０４−１への通信信号を有線回線１０５−２を通じて受信し（ステップ３０５）、有線回線１０５−３を使用して基地局１０２へ中継するよう制御部４０２により制御され（ステップ３０６）、基地局１０２から無線送信することによって指令装置１０１から移動局１０４−１への通信が可能になる（ステップ３０７）。移動局１０４−１から返信を送る場合には同様に基地局１０２、遠隔制御装置１０３を介して指令装置１０１へ送信される（ステップ３０８、３０９、３１０）。
また、移動局１０４−１から指令装置１０１への通信連絡を行う場合には上記動作の逆の動作を行うこととなる。
ここで、遠隔制御装置１０３は、回線障害により遠隔制御装置１０３を利用することとなる指令装置１０１、基地局１０２に遠隔制御装置１０３が通信の中継を行う旨を通知することとしても良い。
【００１６】
本発明の実施の形態によると、各装置に接続されている有線回線に断線等の障害が生じる等、種々の場合に応じて使用する回線を任意に変更可能となる。
【００１７】
また、本発明の実施の形態によると、有線回線に障害が発生した場合でも、該無線通信システム内に存在する該指令装置と該遠隔制御装置を結んでいる有線回線を有効利用し、緊急度や重要度が高い通信連絡を確保可能になる。
【００１８】
以上、本発明について詳細に説明したが、本発明は、ここに記載された実施例に限定されるものではなく、上記以外の無線通信システムに適用可能であることは言うまでも無い。
【図面の簡単な説明】
【００１９】
【図１】本発明の一実施例を示した無線通信システムの構成図。
【図２】本発明における指令装置が移動局を呼び出す際の動作を示したシーケンス図。
【図３】本発明における有線回線が断線した際の通信動作を示したシーケンス図。
【図４】本発明における遠隔制御装置の概略構成の一例を示したブロック図。
【符号の説明】
【００２０】
１０１・・・指令装置、                  １０２・・・基地局、
１０３・・・遠隔制御装置、              １０４・・・移動局、
１０５・・・有線回線、                  ４０１・・・信号入出力部、
４０２・・・制御部、                    ４０３・・・表示部、
４０４・・・操作部。
【図１】
2007235712.tif 000003
【図２】
2007235712.tif 000004
【図３】
2007235712.tif 000005
【図４】
2007235712.tif 000006